(57)【特許請求の範囲】
【請求項１】
吸気口と排気口を有する本体ケースと、この本体ケース内に設けられた除湿手段と、前記吸気口から本体ケース内に吸気した空気を前記除湿手段を介して排気口へと送風する送風手段とを備え、前記本体ケースの上部にスイッチ手段を設け、このスイッチ手段は、略椀形状で略中央部に開口部を備えたスイッチカバー部と、このスイッチカバー部の下部に位置し、略平板形状で複数のボタン形状の切込部を備えるスイッチプレート部と、このスイッチプレート部の複数の前記切込部を覆う略平板形状のカバーシート部と、このカバーシート部と前記スイッチカバー部との間に位置すると共に、前記スイッチカバー部の前記開口部に一部が可動自在に設けられたスイッチ部と、前記スイッチプレート部の下部に固定される基板部と、前記スイッチカバー部と前記スイッチプレート部とを固定する固定部とから形成し、前記スイッチプレート部に前記本体ケースの前面側から見て左右方向に前記スイッチプレート部上の水を案内する水滴案内部を設け、前記スイッチプレート部と前記本体ケースの左右側面部との間に第１の空間部を設け、前記本体ケースの前面側から見て左右側面部に取手部を備えた除湿装置。
【請求項２】
取手部は、前記本体ケースの前後方向において前記本体ケースの前記左右側面部の中央に位置する構成とした請求項１に記載の除湿装置。
【請求項３】
取手部は、前記本体ケースの上下方向において、異なる高さに位置する構成とした請求項１又は２に記載の除湿装置。
【請求項４】
水滴案内部は、前記本体ケースの背面側である前記スイッチプレート部の背面側端部から鉛直上方に延びた背面側壁部と、この背面側壁部と略並行に前記本体ケースの前面側である前記スイッチプレート部の前面側から鉛直上方に延びた前面側壁部とから形成した請求項１〜３のいずれかに記載の除湿装置。
【請求項５】
固定部は、前記スイッチプレート部の前記前面側壁部より前記本体ケースの前面側に位置する構成とした請求項４に記載の除湿装置。
【請求項６】
前記スイッチ部の底面部と前記カバーシート部の上面部との間で、本体ケースの背面側には第２の空間部を設け、前記スイッチ部の側面部と前記スイッチカバー部の前記開口部との間に隙間部を有し、この隙間部である本体ケースの背面側に位置する背面側隙間部は、本体ケースの前面側に位置する前面側隙間部より隙間が大きい構成とした請求項１〜５のいずれかに記載の除湿装置。
【請求項７】
カバーシート部は、前記本体ケースにおける前後方向の略中心部に凸形状の複数の凸部を設けた請求項１〜６のいずれかに記載の除湿装置。
【請求項８】
カバーシート部の材質は、ポリエステルフィルムであり、表面が鏡面状である請求項１〜７のいずれかに記載の除湿装置。
【請求項９】
スイッチプレート部の前記前面側壁部より前記本体ケースの前面側は、下方に傾斜した傾斜部を備え、前記前面側壁部の両端部と前記スイッチプレート部の前記本体ケースの前面側から見て左右側の両端部との間に凹部を設けた請求項１〜８のいずれかに記載の除湿装置。
【請求項１０】
スイッチプレート部は、前記本体ケースにおける左右方向の中央部が、前記本体ケースにおける左右方向の両端部より高い構成とした請求項１〜９のいずれかに記載の除湿装置。
【発明の詳細な説明】
【技術分野】
【０００１】
本発明は、本体ケースの上部にスイッチ手段を備えた除湿装置に関するものである。
【背景技術】
【０００２】
従来、吸気口と排気口を有する本体ケースと、この本体ケース内に設けられた除湿手段と、前記吸気口から本体ケース内に吸気した空気を前記除湿手段を介して排気口へと送風する送風手段とを備え、前記本体ケースの上部にスイッチ手段を設けた構成となっていた（例えば、特許文献１）。
【先行技術文献】
【特許文献】
【０００３】
【特許文献１】特開２００８−２０７０４８号公報
【発明の概要】
【発明が解決しようとする課題】
【０００４】
このような従来の除湿装置における課題は、スイッチ手段に水が溜まり易いということであった。
【０００５】
すなわち、スイッチ手段上部より滴下した水滴は、スイッチカバー部とスイッチの隙間を通り、スイッチ部を介して、スイッチプレート部およびカバーシート部の上部へ滴下し、スイッチプレート部およびカバーシート部の上部に溜まった状態となる。この溜まった状態が長期間続くと場合によっては、水滴が基板部へ侵入する可能性が発生する。
【０００６】
そこで本発明は、スイッチプレート部およびカバーシート部の上部に水滴が溜まり難くすることを目的とするものである。
【課題を解決するための手段】
【０００７】
そして、この目的を達成するために、本発明は、吸気口と排気口を有する本体ケースと、この本体ケース内に設けられた除湿手段と、前記吸気口から本体ケース内に吸気した空気を前記除湿手段を介して排気口へと送風する送風手段とを備え、前記本体ケースの上部にスイッチ手段を設け、このスイッチ手段は、略椀形状で略中央部に開口部を備えたスイッチカバー部と、このスイッチカバー部の下部に位置し、略平板形状で複数のボタン形状の切込部を備えるスイッチプレート部と、このスイッチプレート部の複数の前記切込部を覆う略平板形状のカバーシート部と、このカバーシート部と前記スイッチカバー部との間に位置すると共に、前記スイッチカバー部の前記開口部に一部が可動自在に設けられたスイッチ部と、前記スイッチプレート部の下部に固定される基板部と、前記スイッチカバー部と前記スイッチプレート部とを固定する固定部とから形成し、前記スイッチプレート部に前記本体ケースの前面側から見て左右方向に前記スイッチプレート部上の水を案内する水滴案内部を設け、前記スイッチプレート部と前記本体ケースの左右側面部との間に第１の空間部を設け、前記本体ケースの前面側から見て左右側面部に取手部を備えたものである。
【０００８】
これにより初期の目的を達成するものである。
【発明の効果】
【０００９】
本発明によれば、スイッチ手段上部より滴下した水滴が、スイッチカバー部とスイッチの隙間を通り、スイッチ部を介して、スイッチプレート部およびカバーシート部の上部へ滴下し、スイッチプレート部およびカバーシート部の上部に水滴が溜まった状態となっても、スイッチプレート部に本体ケースの前面側から見て左右方向にスイッチプレート部上の水を案内する水滴案内部を設け、前記スイッチプレート部と前記本体ケースの左右側面部との間に第１の空間部を設けると共に、前記本体ケースの前面側から見て左右側面部に取手部を備えたので、本体ケースの取手部で本体を持ち上げた際に、左右方向に傾きが生じることにより、スイッチプレート部およびカバーシート部上部の水滴が、スイッチプレート部の水滴案内部によって、スイッチプレート部と本体ケースの左右側面部との間の第１の空間部に流れるものである。
【００１０】
これらの結果により、スイッチ手段に水が溜まり難く、基板部への水滴の侵入を抑制できるものである。
【図面の簡単な説明】
【００１１】
【図１】本発明の一実施形態を示す斜視図
【図２】同スイッチ手段の分解斜視図
【図３】同スイッチ手段の分解平面図
【図４】同スイッチ手段の拡大図
【図５】同スイッチ手段の断面概略図
【発明を実施するための形態】
【００１２】
以下、本発明の実施の形態について図面を参照しながら説明する。
【００１３】
（実施の形態１）
図１および図２に示すように、吸気口２と排気口３とを有する縦長箱形状の本体ケース１内に、除湿手段（図示せず）と送風手段（図示せず）とを備え、この送風手段によって、吸気口２から本体ケース１内に吸気した空気を除湿手段を介して排気口３へと送風する。本体ケース１の前後方向の寸法は、本体ケース１の左右方向の寸法に比べ小さいものである。本体ケース１の上部には、スイッチ手段６を設けている。
【００１４】
スイッチ手段６は、スイッチカバー部７と、スイッチプレート部８と、カバーシート部９と、スイッチ部１０と、基板部１１とから形成している。
【００１５】
スイッチカバー部７は、略椀形状で本体ケース１における前面側に開口部７Ａを備えている。
【００１６】
スイッチプレート部８は、略横長平板形状で、スイッチカバー部７の下部に位置し、中央部には、略平板形状で複数のボタン形状の切込部８Ａを備え、本体ケース１における前面側には、スイッチプレート部８を本体ケース１にねじによって固定される固定部８Ｂを備えている。
【００１７】
カバーシート部９は、スイッチプレート部８の上面に位置する略平板形状で、中央部には、切込部８Ａを覆う上方向に凸形状の切込カバー部９Ａを備えている。スイッチプレート部８の複数の切込部８Ａを覆う切込カバー部９Ａ以外の部分が、スイッチプレート部８に接着固定されている。
【００１８】
スイッチ部１０は、カバーシート部９とスイッチカバー部７との間に位置すると共に、スイッチカバー部７の開口部７Ａに可動自在に設けられる略椀形状のスイッチ可動部１０Ａと、このスイッチ可動部１０Ａを可動自在に連結する櫛形状の連結部１０Ｂとを備えている。
【００１９】
基板部１１は、スイッチプレート部８の下部に位置し、上面には複数のスイッチ部品１１Ａを設けている。これらスイッチ部品１１Ａの上に、スイッチプレート部８の切込部８Ａが位置し、この切込部８Ａの上に、カバーシート部９の切込カバー部９Ａを介して、スイッチ部１０のスイッチ可動部１０Ａが位置するものである。つまり、スイッチ部１０のスイッチ可動部１０Ａを押すと、カバーシート部９の切込カバー部９Ａと、スイッチプレート部８の切込部８Ａとを介して、スイッチ部品１１Ａが押される構成である。
【００２０】
以上の構成において、本体ケース１の上部側に洗濯物を吊るし、この洗濯物に対して、送風手段によって、吸気口２から本体ケース１内に吸い込んだ空気を、除湿手段で除湿し、この除湿した空気を排気口３から送風し、洗濯物を乾燥させるものである。
【００２１】
本実施の形態における特徴は、スイッチプレート部８に本体ケース１の前面側から見て左右方向にスイッチプレート部８上の水を案内する水滴案内部８Ｃを設け、スイッチプレート部８と本体ケース１の左右側面部との間に第１の空間部１Ａを設け、本体ケース１の前面側から見て左右側面部に取手部１２を備えた点である。
【００２２】
これにより、本体ケース１の上部側に吊るした洗濯物より滴下した水滴が、スイッチカバー部７とスイッチ部１０との隙間を通り、スイッチ部１０を介して、スイッチプレート部８およびカバーシート部９の上部へ滴下し、スイッチプレート部８およびカバーシート部９の上部に水滴が溜まった状態となっても、スイッチプレート部８に本体ケース１の前面側から見て左右方向にスイッチプレート部８上の水を案内する水滴案内部８Ｃを設け、スイッチプレート部８と本体ケース１の左右側面部との間に第１の空間部１Ａを設けると共に、本体ケース１の前面側から見て左右側面部に取手部１２を備えたので、本体ケース１の取手部１２で本体ケース１を持ち上げた際に、左右方向に傾きが生じることにより、スイッチプレート部８およびカバーシート部９上部の水滴が、スイッチプレート部８の水滴案内部８Ｃによって、スイッチプレート部８と本体ケース１の左右側面部との間の第１の空間部１Ａに流れるものである。
【００２３】
更に詳しく説明すると、洗濯物の乾燥が終わり、除湿装置を移動させる場合に、人が本体ケース１の前面側から見て左右側面部に位置する取手部１２をそれぞれ左右の手で持ち、持ち上げる場合に、人には利き腕があるため、同じ力で持ち上げたつもりでも、左右の腕はそれぞれ異なる力で持ち上げることとなり、持ち上げる途中で左右側面部の取手部１２の上下方向の位置が異なり易いものである。つまり、本体ケース１の取手部１２で本体ケース１を持ち上げた際に、左右方向に傾きが生じることにより、スイッチプレート部８およびカバーシート部９上部の水滴が、スイッチプレート部８の水滴案内部８Ｃによって、スイッチプレート部８と本体ケース１の左右側面部との間の第１の空間部１Ａに流れるものである。
【００２４】
これらの結果により、スイッチ手段６に水が溜まり難く、基板部１１への水滴の侵入を抑制できるものである。
【００２５】
また、取手部１２は、本体ケース１の前後方向において本体ケース１の左右側面部の中央に位置する構成されたものである。具体的には、取手部１２は、本体ケース１の左右側面部が、本体ケース１内方へ窪んだ窪み部１２Ａで、この窪み部１２Ａは、本体ケース１の前後方向に長い略横長四角形状で、本体ケース１の左右側面部の上部中央に位置するものである。
【００２６】
すなわち、本体ケース１の前後方向の寸法は、本体ケース１の左右方向の寸法に比べ小さく、更に、取手部１２である窪み部１２Ａは、本体ケース１の前後方向において本体ケース１の左右側面部の中央に位置するので、それぞれの窪み部１２Ａに、左右それぞれの手を掛け持ち上げると、本体ケース１の前後方向には傾きにくいので、前記スイッチプレート部８及びカバーシート部９に滞在する水滴に対し、本体を持ち上げた際に、水滴案内部８Ｃを乗り越えることなく、スイッチプレート部８の水滴案内部８Ｃによって、スイッチプレート部８と本体ケース１の左右側面部との間の第１の空間部１Ａに流れ易いものである。
【００２７】
また、取手部１２は、本体ケース１の上下方向において、異なる高さに位置する構成としたものである。
【００２８】
これにより、本体ケース１の取手部１２で本体ケース１を持ち上げた際に、左右方向に傾きが生じることにより、スイッチプレート部８およびカバーシート部９上部の水滴が、スイッチプレート部８の水滴案内部８Ｃによって、スイッチプレート部８と本体ケース１の左右側面部との間の第１の空間部１Ａに流れるものである。
【００２９】
また、水滴案内部８Ｃは、本体ケース１の背面側であるスイッチプレート部８の背面側端部から鉛直上方に延びた背面側壁部８Ｄと、この背面側壁部８Ｄと略並行に本体ケースの前面側であるスイッチプレート部８の前面側から鉛直上方に延びた前面側壁部８Ｅとから形成している。
【００３０】
すなわち、洗濯物より滴下される水滴をスイッチカバー部７とスイッチ部１０の間の隙間を介し、水滴案内部８Ｃである背面側壁部８Ｄと、前面側壁部８Ｅとの間のスイッチプレート部８、カバーシート部９とで一旦受け、本体ケース１の取手部１２で本体ケース１を持ち上げた際に、左右方向に傾きが生じることにより、スイッチプレート部８およびカバーシート部９上部の水滴が、スイッチプレート部８の水滴案内部８Ｃである背面側壁部８Ｄ、または前面側壁部８Ｅによって、スイッチプレート部８と本体ケース１の左右側面部との間の第１の空間部１Ａに流れるものである。
【００３１】
また、固定部８Ｂは、スイッチプレート部８の前面側壁部８Ｅより本体ケース１の前面側に位置する構成としたものである。この固定部８Ｂは、ねじによって固定されるので、ねじが貫通する孔を備えている。この孔に固定部８Ｂの上方からねじを挿入し、本体ケース１にねじ止めするものである。ここで、固定部８Ｂは、スイッチプレート部８の前面側壁部８Ｅより本体ケース１の前面側に位置するので、水滴案内部８Ｃである背面側壁部８Ｄと、前面側壁部８Ｅとの間のスイッチプレート部８、カバーシート部９に滴下した水滴が、固定部８Ｂの孔を介して基板部１１への侵入を抑制できるものである。
【００３２】
また、スイッチ部１０の底面部とカバーシート部９の上面部との間で、本体ケース１の背面側には第２の空間部１３を設け、スイッチ部１０の側面部とスイッチカバー部７の開口部７Ａとの間に隙間部７Ｂを有し、この隙間部７Ｂである本体ケース１の背面側に位置する背面側隙間部７Ｃは、本体ケース１の前面側に位置する前面側隙間部７Ｄより隙間が大きい構成としている。具体的には、スイッチ部１０は、スイッチカバー部７の開口部７Ａに可動自在に設けられる略椀形状のスイッチ可動部１０Ａと、このスイッチ可動部１０Ａを可動自在に連結する櫛形状の連結部１０Ｂとを備えている。このスイッチ部１０のスイッチ可動部１０Ａの底面部とカバーシート部９の上面部との間に第２の空間部１３を設け、この第２の空間部１３は、スイッチプレート部８の背面側端部から鉛直上方に延びた背面側壁部８Ｄまで延びている。ここで、スイッチ部１０のスイッチ可動部１０Ａの側面部とスイッチカバー部７の開口部７Ａとの間に隙間部７Ｂを有し、この隙間部７Ｂである本体ケース１の背面側に位置する背面側隙間部７Ｃは、本体ケース１の前面側に位置する前面側隙間部７Ｄより隙間が大きいものである。
【００３３】
すなわち、本体ケース１の上部側に吊るした洗濯物より水滴が滴下した場合、水滴はスイッチカバー部７およびスイッチ部１０のスイッチ可動部１０Ａの上面に落ちる。ここで、スイッチ可動部１０Ａとスイッチカバー部７の開口部７Ａとの間の隙間部７Ｂである背面側隙間部７Ｃは、前面側隙間部７Ｄより隙間が大きいので、水滴は背面側隙間部７Ｃから第２の空間部１３に流れ込む。この第２の空間部１３は、スイッチプレート部８の背面側端部から鉛直上方に延びた背面側壁部８Ｄまで延びているので、水滴案内部８Ｃである背面側壁部８Ｄによって、スイッチプレート部８と本体ケース１の左右側面部との間の第１の空間部１Ａに流れるものである。結果として、スイッチプレート部８内に水滴が滞在しにくくなるものである。
【００３４】
また、カバーシート部９は、本体ケースにおける前後方向の略中心部に凸形状の複数の凸部を設けている。具体的には、スイッチ部１０の挿圧部分が凸形状の中心と重なる構成としている。
【００３５】
すなわち、洗濯物より滴下される水滴をスイッチカバー部７とスイッチ部１０の間の隙間を介し、カバーシートの凸部が最短落下点となり、傾斜を介し水滴を加速させ、スイッチプレート部８へ案内することで、左右空間部へ水滴を案内させやすくでき、基板部１１に水滴が侵入し故障する可能性を低減するものである。
【００３６】
また、カバーシート部９の材質は、ポリエステルフィルムであり、表面が鏡面状である。
【００３７】
すなわち、ポリエステルフィルムの鏡面状のカバーシートが侵入してきた水滴を滞在させることなくスイッチプレート部８へ案内させやすくする効果を奏する。
【００３８】
また、スイッチプレート部８の前面側壁部より本体ケース１の前面側は、下方に傾斜した傾斜部１４を備え、前面側壁部の両端部とスイッチプレート部８の本体ケース１の前面側から見て左右側の両端部との間に凹部１５を設けてもよい。
【００３９】
すなわち、洗濯物より滴下される水滴をスイッチカバー部７とスイッチ部１０の間の隙間を介し、一旦、カバーシート部９で受け、水滴案内部８Ｃへと導き、壁部をつたい左右方向へ向かわせ、凹部１５にて高低差を生じさせることで外部へ水滴を案内させやすくし、基板部１１に水滴が侵入し故障する可能性を低減するものである。
【００４０】
また、スイッチプレート部８は、本体ケース１における左右方向の中央部が、本体ケース１における左右方向の両端部より高い構成する。
【００４１】
すなわち、洗濯物より滴下される水滴を前記スイッチカバー部７とスイッチ部１０の間の隙間を介し、スイッチプレートに滴下するが、中央部がもっとも高位置とされるので左右方向に伸びる傾斜により、水滴が左右方向へ向かいやすくなる。結果、左右空間部へ水滴を案内させやすくでき、基板部１１に水滴が侵入し故障する可能性を低減するものである。
【産業上の利用可能性】
【００４２】
本発明にかかる除湿装置は、本発明によれば、スイッチ手段上部より滴下した水滴が、スイッチカバー部とスイッチの隙間を通り、スイッチ部を介して、スイッチプレート部およびカバーシート部の上部へ滴下し、スイッチプレート部およびカバーシート部の上部に水滴が溜まった状態となっても、スイッチプレート部に本体ケースの前面側から見て左右方向にスイッチプレート部上の水を案内する水滴案内部を設け、前記スイッチプレート部と前記本体ケースの左右側面部との間に第１の空間部を設けると共に、前記本体ケースの前面側から見て左右側面部に取手部を備えたので、本体ケースの取手部で本体を持ち上げた際に、左右方向に傾きが生じることにより、スイッチプレート部およびカバーシート部上部の水滴が、スイッチプレート部の水滴案内部によって、スイッチプレート部と本体ケースの左右側面部との間の第１の空間部に流れるものである。
【００４３】
これらの結果により、スイッチ手段に水が溜まり難く、基板部への水滴の侵入を抑制できるもので、家庭に使用されるスイッチ手段を有する除湿装置等として有用である。
【符号の説明】
【００４４】
１      本体ケース
１Ａ    第１の空間部
２      吸気口
３      排気口
６      スイッチ手段
７      スイッチカバー部
７Ａ    開口部
７Ｂ    隙間部
７Ｃ    背面側隙間部
７Ｄ    前面側隙間部
８      スイッチプレート部
８Ａ    切込部
８Ｂ    固定部
８Ｃ    水滴案内部
８Ｄ    背面側壁部
８Ｅ    前面側壁部
９      カバーシート部
９Ａ    切込カバー部
１０    スイッチ部
１０Ａ  スイッチ可動部
１０Ｂ  連結部
１１    基板部
１１Ａ  スイッチ部品
１２    取手部
１２Ａ  窪み部
１３    第２の空間部
１４    傾斜部
１５    凹部
【図１】
0005402734.tif 000002
【図２】
0005402734.tif 000003
【図３】
0005402734.tif 000004
【図４】
0005402734.tif 000005
【図５】
0005402734.tif 000006